(57)【要約】【課題】ユーザが多様なコンテンツの中から所望のコンテンツを、取得方法を意識せずに少ない操作で選択できるようにする。【解決手段】取得方法の異なる複数種のコンテンツを取得する手段と、取得可能なコンテンツについて、コンテンツを視聴可能な時間帯または視聴にかかる時間の少なくとも一つおよびコンテンツのタイトルを含むコンテンツ情報を取得する手段と、コンテンツ情報と嗜好を含むユーザ情報とに基づき、視聴可能なコンテンツの提示優先度を決定する提示優先度決定手段１７と、この提示優先度に基づき視聴可能なコンテンツのタイトルリストを生成するリスト生成手段と、そのリストから再生するコンテンツをユーザに選択させる入力手段２２と、計時を行い所定のタイミングで提示優先度決定手段１７を起動させるタイマ１６とを備える。提示優先度決定手段１７はタイマ１６により起動された時に提示優先度の更新を行う。【選択図】図１
2010141559.tif 000002
【特許請求の範囲】
【請求項１】
取得方法の異なる複数種のコンテンツを取得するコンテンツ取得手段と、
該コンテンツ取得手段により取得可能なコンテンツについて、コンテンツを視聴可能な時間帯または視聴にかかる時間の少なくとも一つおよびコンテンツのタイトルを含むコンテンツ情報を取得するコンテンツ情報取得手段と、
該コンテンツ情報取得手段により取得した前記コンテンツ情報と、嗜好を含むユーザ情報とに基づき、視聴可能なコンテンツの提示優先度を決定する提示優先度決定手段と、
該提示優先度決定手段で決定された前記提示優先度に基づいて、視聴可能なコンテンツのタイトルのリストを生成するリスト生成手段と、
該リスト生成手段で生成されたリストから再生するコンテンツをユーザに選択させる選択手段と、
計時を行い、所定のタイミングで前記提示優先度決定手段を起動させるタイマ手段と、を備え、
前記提示優先度決定手段は、前記タイマ手段により起動された時に前記提示優先度の更新を行うことを特徴とするコンテンツ選択装置。
【請求項２】
前記ユーザ情報は、ユーザがコンテンツを視聴した回数である視聴回数を示す情報を含み、
前記提示優先度決定手段は、各コンテンツについての前記視聴回数に応じて前記提示優先度を決定すること特徴とする請求項１に記載のコンテンツ選択装置。
【請求項３】
前記提示優先度決定手段は、前記視聴回数と前記提示優先度との関係を記述したコンテンツメタデータから該関係の記述を読み出し、該関係の記述に従って、各コンテンツについての前記視聴回数に応じた前記提示優先度の決定を行うこと特徴とする請求項２に記載のコンテンツ選択装置。
【請求項４】
前記提示優先度決定手段は、同じコンテンツについて、視聴可能な時間帯が制限されたコンテンツの提示優先度に比べ、視聴可能な時間帯が制限されていないコンテンツの提示優先度を高くすることを特徴とする請求項１〜３のいずれか１項に記載のコンテンツ選択装置。
【請求項５】
前記提示優先度決定手段は、同じコンテンツについて、画質の低いコンテンツの提示優先度に比べ、画質の高いコンテンツの提示優先度を高くすることを特徴とする請求項１〜４のいずれか１項に記載のコンテンツ選択装置。
【請求項６】
請求項１〜５のいずれか１項に記載のコンテンツ選択装置と、該コンテンツ選択装置により選択されたコンテンツを再生するコンテンツ再生手段とを具備することを特徴とするコンテンツ再生装置。
【請求項７】
前記コンテンツ再生手段で再生したコンテンツの映像を表示する映像表示手段をさらに具備し、
前記コンテンツ再生手段は、過去に視聴していないコンテンツを再生して前記映像表示手段で表示中に、該コンテンツが未視聴のコンテンツである旨の情報を前記映像表示手段に出力し、前記映像表示手段は、該情報を表示することを特徴とする請求項６に記載のコンテンツ再生装置。
【請求項８】
前記コンテンツ再生手段は、コンテンツの再生を停止した位置を示すレジュームポイントを、前記コンテンツに関連付けて記録し、前記位置が変わる度に前記レジュームポイントを更新するレジューム手段を有し、該レジューム手段は、レジュームポイントを記録可能なコンテンツを再生し、再生を停止した時に、該コンテンツの連続再生時間が所定時間より短い場合にはレジュームポイントを更新しないことを特徴とする請求項６または７に記載のコンテンツ再生装置。
【請求項９】
請求項１〜５のいずれか１項に記載のコンテンツ選択装置を動作させる制御プログラムであって、コンピュータを該コンテンツ選択装置として機能させるための制御プログラム。
【請求項１０】
請求項６〜８のいずれか１項に記載のコンテンツ再生装置を動作させる制御プログラムであって、コンピュータを該コンテンツ再生装置として機能させるための制御プログラム。
【請求項１１】
請求項９または１０に記載の制御プログラムを記録したコンピュータ読み取り可能な記録媒体。
【請求項１２】
コンテンツ取得手段が、取得方法の異なる複数種のコンテンツを取得するコンテンツ取得ステップと、
コンテンツ情報取得手段が、前記コンテンツ取得ステップで取得可能なコンテンツについて、コンテンツを視聴可能な時間帯または視聴にかかる時間の少なくとも一つおよびコンテンツのタイトルを含むコンテンツ情報を取得するコンテンツ情報取得ステップと、
提示優先度決定手段が、前記コンテンツ情報取得ステップで取得した前記コンテンツ情報と、嗜好を含むユーザ情報とに基づき、視聴可能なコンテンツの提示優先度を決定する提示優先度決定ステップと、
リスト生成手段が、前記提示優先度決定ステップで決定した前記提示優先度に基づいて、視聴可能なコンテンツのタイトルのリストを生成するリスト生成ステップと、
選択手段が、前記リスト生成ステップで生成されたリストから再生するコンテンツをユーザに選択させる選択ステップと、
タイマ手段が、計時を行い、所定のタイミングで前記提示優先度決定手段を起動させるステップと、を含み、
前記提示優先度決定ステップは、前記タイマステップにより起動された時に前記提示優先度の更新を行うことを特徴とするコンテンツ選択方法。
【請求項１３】
前記提示優先度決定ステップは、前記ユーザ情報の一部としてユーザがコンテンツを視聴した回数である視聴回数を示す情報を取得し、各コンテンツについての前記視聴回数に応じて前記提示優先度を決定すること特徴とする請求項１２に記載のコンテンツ選択方法。
【請求項１４】
前記提示優先度決定ステップは、前記視聴回数と前記提示優先度との関係を記述したコンテンツメタデータから該関係の記述を読み出し、該関係の記述に従って、各コンテンツについての前記視聴回数に応じた前記提示優先度の決定を行うこと特徴とする請求項１３に記載のコンテンツ選択方法。
【請求項１５】
前記提示優先度決定ステップは、同じコンテンツについて、視聴可能な時間帯が制限されたコンテンツの提示優先度に比べ、視聴可能な時間帯が制限されていないコンテンツの提示優先度を高くすることを特徴とする請求項１２〜１４のいずれか１項に記載のコンテンツ選択方法。
【請求項１６】
前記提示優先度決定ステップは、同じコンテンツについて、画質の低いコンテンツの提示優先度に比べ、画質の高いコンテンツの提示優先度を高くすることを特徴とする請求項１２〜１５のいずれか１項に記載のコンテンツ選択方法。
【発明の詳細な説明】
【技術分野】
【０００１】
本発明は、取得方法の異なる様々なコンテンツ群の中からユーザが視聴するコンテンツを選択するコンテンツ選択装置、その装置を備えたコンテンツ再生装置、コンテンツ選択方法、コンテンツ選択またはコンテンツの選択・再生を行うためのプログラム、およびそのプログラムを記録したコンピュータ読み取り可能な記録媒体に関する。
【背景技術】
【０００２】
携帯端末、設置型のプレーヤや再生機能付きレコーダなどのコンテンツ再生装置は、その高機能化により、取得方法の異なる多様な映像コンテンツ（および／または音楽コンテンツ）を再生して視聴者に視聴させることが可能になってきている。例えば、携帯端末向け地上波デジタルＴＶ放送（以下、ワンセグ放送とする）を受信再生する機能や、インターネットサーバに置かれた映像コンテンツをストリーミング視聴する機能、装置内部あるいは装置に接続した記録メディアに蓄積された映像コンテンツを再生視聴する機能などが、一つの装置に集約されており、ユーザはこれらの多様なコンテンツの中から嗜好に合ったものを選択し、視聴することができる。
【０００３】
しかし、多様なコンテンツの中から視聴するコンテンツを１つ選択する場合、コンテンツの一覧や視聴のためのアプリケーションを、コンテンツの取得方法毎に切替える必要があり、このような切替え操作を行うことは煩わしく、また視聴したいコンテンツをみつけ再生を開始するまでに時間がかかってしまう。
【０００４】
このような問題に対し、例えば特許文献１および２に記載のように、記録メディアに蓄積されたコンテンツとＴＶ放送やネット番組のコンテンツとを一つのリストに一覧表示し、コンテンツの選択操作を容易にする技術が提案されている。
【特許文献１】特開２０００−１７５１４０号公報
【特許文献２】特開２００５−６４８３２号公報
【発明の開示】
【発明が解決しようとする課題】
【０００５】
しかしながら、特許文献１，２に記載の技術では、コンテンツＡを視聴中に、よりユーザの嗜好に合ったコンテンツＢの提供が開始された場合に、コンテンツＢの前半部分を見逃したり、時間が足りずにコンテンツＢを最後まで視聴できなくなることがある。
【０００６】
本発明は、上述のような実状に鑑みてなされたものであり、その目的は、多様なコンテンツの中から所望のコンテンツを選択する際に、コンテンツの取得方法を意識せずに選択できるとともに、ユーザの所望のコンテンツをできるだけ少ない操作で検索可能とすることにある。
【課題を解決するための手段】
【０００７】
上記目的を達成するために、本発明の第１の技術手段は、コンテンツ選択装置において、取得方法の異なる複数種のコンテンツを取得するコンテンツ取得手段と、該コンテンツ取得手段により取得可能なコンテンツについて、コンテンツを視聴可能な時間帯または視聴にかかる時間の少なくとも一つおよびコンテンツのタイトルを含むコンテンツ情報を取得するコンテンツ情報取得手段と、該コンテンツ情報取得手段により取得した前記コンテンツ情報と、嗜好を含むユーザ情報とに基づき、視聴可能なコンテンツの提示優先度を決定する提示優先度決定手段と、該提示優先度決定手段で決定された前記提示優先度に基づいて、視聴可能なコンテンツのタイトルのリストを生成するリスト生成手段と、該リスト生成手段で生成されたリストから再生するコンテンツをユーザに選択させる選択手段と、計時を行い、所定のタイミングで前記提示優先度決定手段を起動させるタイマ手段と、を備え、前記提示優先度決定手段は、前記タイマ手段により起動された時に前記提示優先度の更新を行うことを特徴としたものである。
【０００８】
第２の技術手段は、第１の技術手段において、前記ユーザ情報は、ユーザがコンテンツを視聴した回数である視聴回数を示す情報を含み、前記提示優先度決定手段は、各コンテンツについての前記視聴回数に応じて前記提示優先度を決定すること特徴としたものである。
【０００９】
第３の技術手段は、第２の技術手段において、前記提示優先度決定手段は、前記視聴回数と前記提示優先度との関係を記述したコンテンツメタデータから該関係の記述を読み出し、該関係の記述に従って、各コンテンツについての前記視聴回数に応じた前記提示優先度の決定を行うこと特徴としたものである。
【００１０】
第４の技術手段は、第１〜第３のいずれかの技術手段において、前記提示優先度決定手段は、同じコンテンツについて、視聴可能な時間帯が制限されたコンテンツの提示優先度に比べ、視聴可能な時間帯が制限されていないコンテンツの提示優先度を高くすることを特徴としたものである。
【００１１】
第５の技術手段は、第１〜第４のいずれかの技術手段において、前記提示優先度決定手段は、同じコンテンツについて、画質の低いコンテンツの提示優先度に比べ、画質の高いコンテンツの提示優先度を高くすることを特徴としたものである。
【００１２】
第６の技術手段は、コンテンツ再生装置において、第１〜第５のいずれかの技術手段におけるコンテンツ選択装置と、該コンテンツ選択装置により選択されたコンテンツを再生するコンテンツ再生手段とを具備することを特徴としたものである。
【００１３】
第７の技術手段は、第６の技術手段において、前記コンテンツ再生手段で再生したコンテンツの映像を表示する映像表示手段をさらに具備し、前記コンテンツ再生手段は、過去に視聴していないコンテンツを再生して前記映像表示手段で表示中に、該コンテンツが未視聴のコンテンツである旨の情報を前記映像表示手段に出力し、前記映像表示手段は、該情報を表示することを特徴としたものである。
【００１４】
第８の技術手段は、第６または第７の技術手段において、前記コンテンツ再生手段は、コンテンツの再生を停止した位置を示すレジュームポイントを、前記コンテンツに関連付けて記録し、前記位置が変わる度に前記レジュームポイントを更新するレジューム手段を有し、該レジューム手段は、レジュームポイントを記録可能なコンテンツを再生し、再生を停止した時に、該コンテンツの連続再生時間が所定時間より短い場合にはレジュームポイントを更新しないことを特徴としたものである。
【００１５】
第９の技術手段は、第１〜第５のいずれかの技術手段におけるコンテンツ選択装置を動作させる制御プログラムであって、コンピュータを該コンテンツ選択装置として機能させるための制御プログラムである。
【００１６】
第１０の技術手段は、第６〜第８のいずれかの技術手段におけるコンテンツ再生装置を動作させる制御プログラムであって、コンピュータを該コンテンツ再生装置として機能させるための制御プログラムである。
【００１７】
第１１の技術手段は、第９または第１０の技術手段における制御プログラムを記録したコンピュータ読み取り可能な記録媒体である。
【００１８】
第１２の技術手段は、コンテンツ取得手段が、取得方法の異なる複数種のコンテンツを取得するコンテンツ取得ステップと、コンテンツ情報取得手段が、前記コンテンツ取得ステップで取得可能なコンテンツについて、コンテンツを視聴可能な時間帯または視聴にかかる時間の少なくとも一つおよびコンテンツのタイトルを含むコンテンツ情報を取得するコンテンツ情報取得ステップと、提示優先度決定手段が、前記コンテンツ情報取得ステップで取得した前記コンテンツ情報と、嗜好を含むユーザ情報とに基づき、視聴可能なコンテンツの提示優先度を決定する提示優先度決定ステップと、リスト生成手段が、前記提示優先度決定ステップで決定した前記提示優先度に基づいて、視聴可能なコンテンツのタイトルのリストを生成するリスト生成ステップと、選択手段が、前記リスト生成ステップで生成されたリストから再生するコンテンツをユーザに選択させる選択ステップと、タイマ手段が、計時を行い、所定のタイミングで前記提示優先度決定手段を起動させるステップと、を含み、前記提示優先度決定ステップは、前記タイマステップにより起動された時に前記提示優先度の更新を行うことを特徴としたものである。
【００１９】
第１３の技術手段は、第１２の技術手段において、前記提示優先度決定ステップは、前記ユーザ情報の一部としてユーザがコンテンツを視聴した回数である視聴回数を示す情報を取得し、各コンテンツについての前記視聴回数に応じて前記提示優先度を決定すること特徴としたものである。
【００２０】
第１４の技術手段は、第１３の技術手段において、前記提示優先度決定ステップは、前記視聴回数と前記提示優先度との関係を記述したコンテンツメタデータから該関係の記述を読み出し、該関係の記述に従って、各コンテンツについての前記視聴回数に応じた前記提示優先度の決定を行うこと特徴としたものである。
【００２１】
第１５の技術手段は、第１２〜第１４のいずれかの技術手段において、前記提示優先度決定ステップは、同じコンテンツについて、視聴可能な時間帯が制限されたコンテンツの提示優先度に比べ、視聴可能な時間帯が制限されていないコンテンツの提示優先度を高くすることを特徴としたものである。
【００２２】
第１６の技術手段は、第１２〜第１５のいずれかの技術手段において、前記提示優先度決定ステップは、同じコンテンツについて、画質の低いコンテンツの提示優先度に比べ、画質の高いコンテンツの提示優先度を高くすることを特徴としたものである。
【発明の効果】
【００２３】
本発明によれば、多様なコンテンツの中から所望のコンテンツを選択する際に、コンテンツの取得方法を意識せずに選択できるとともに、ユーザの所望のコンテンツをできるだけ少ない操作で検索することが可能となる。
【発明を実施するための最良の形態】
【００２４】
本発明に係るコンテンツ選択装置は、地上波、ＢＳ（Broadcasting Satellite）、ＣＳ（Communications Satellite）等でリアルタイム放送される放送コンテンツや、インターネット上のコンテンツサーバから任意の時間に読み出し可能なストリーミングコンテンツ、ハードディスク等の蓄積装置に記録したコンテンツなど、取得方法の異なる様々なコンテンツ群の中から、ユーザが視聴するコンテンツを容易に選択可能にする装置である。
【００２５】
以下、このようなコンテンツ選択装置を備え、その装置で選択されたコンテンツを再生可能なコンテンツ再生装置についての様々な実施形態を説明する。勿論、本発明に係るコンテンツ選択装置は、再生機能を備えたコンテンツ再生装置として構成しなくてもよい。コンテンツ選択装置が、選択されたコンテンツを示す情報を外部の再生装置に送信するなどすることで、選択されたコンテンツを再生させることは可能である。なお、以下に説明するコンテンツ再生装置では、再生対象となるコンテンツとして、外部から受信したコンテンツを含んだ例を挙げているため、コンテンツ再生装置をコンテンツ受信再生装置と呼ぶ。このコンテンツ受信再生装置は、携帯電話機やＰＤＡ（Personal Digital Assistant）などの携帯端末をはじめ、設置型のレコーダやプレーヤ、ＴＶ装置などに実装することができる。
【００２６】
（構成）
図１は、本発明の一実施形態に係るコンテンツ受信再生装置の概略構成例を示す図である。同図に示すように、本実施形態に係るコンテンツ受信再生装置１は、エア放送受信手段１１、ネットワーク接続手段１２、放送番組表取得手段１３、アップロードコンテンツ情報取得手段１４、ストリーム受信手段１５、タイマ１６、提示優先度決定手段１７、記録コンテンツ情報取得手段１８、コンテンツ記録手段１９、リスト出力手段２０、復号手段２１、入力手段２２、映像表示手段２３、および音声出力手段２４を備えた構成となっている。これらの各構成の要素についてまず説明する。なお、タイマ１６については、提示優先度の更新処理として後述する。
【００２７】
エア放送受信手段１１は、装置１に接続されたアンテナ２により受信したエア放送について、信号復調処理、多重分離処理を行い、映像および音声のデータを取り出すと共に、ＥＰＧ（Electronic Program Guide）データより番組表情報を取得する。エア放送とは、放送用に割り当てられた周波数帯域を使って無線伝送される放送で、ワンセグ放送などがこれに該当する。また、取得した番組表情報には、エア放送されるコンテンツのコンテンツ情報が含まれている。エア放送はリアルタイム放送であり、このコンテンツ情報には、コンテンツを視聴可能な時間帯（および視聴にかかる時間）とコンテンツのタイトルとが含まれている。
【００２８】
放送番組表取得手段（インターネット放送番組表取得手段）１３は、ネットワーク接続手段１２を介してインターネット網に接続し、インターネット放送を配信するサービスサイトで提供されているインターネット放送の番組表情報、および同サービスサイトまたは別のサービスサイトで提供されているエア放送の番組表情報を取得する。
【００２９】
この取得は、サービスサイトのＵＲＬ（Uniform Resource Locator）を指定するなどにより実現できる。これらの番組表情報には、それぞれインターネット放送されるコンテンツのコンテンツ情報、エア放送されるコンテンツのコンテンツ情報が含まれている。エア放送だけでなく、インターネット放送も基本的にはリアルタイム放送であり、双方の放送についてのコンテンツ情報には、コンテンツを視聴可能な時間帯（および視聴にかかる時間）とコンテンツのタイトルとが含まれている。なお、エア放送については、エア放送受信手段でもコンテンツ情報が取得可能であり、本発明にいずれのコンテンツ情報を後述の提示優先度決定に用いるかは予め決めておけばよい。
【００３０】
アップロードコンテンツ情報取得手段１４は、ネットワーク接続手段１２を介してインターネット網に接続し、ＹｏｕＴｕｂｅ（登録商標）などの動画像のアップロードサイトをＵＲＬなどにより指定してアクセスし、そのサイトから、アップロードされているコンテンツのコンテンツ情報を取得する。なお、アップロードサイトで取得可能なコンテンツが膨大である場合も想定できるため、サイトへの登録（アップロード）日時に基づき新しいコンテンツのみのコンテンツ情報を取得するなど、取得するコンテンツ情報を絞っておいてもよい。アップロードされたコンテンツはリアルタイム放送として配信されるものではないため、このコンテンツ情報には、コンテンツを視聴可能な時間帯は含まれず、視聴にかかる時間とコンテンツのタイトルとが含まれている。なお、コンテンツの課金方式で１週間などの視聴期間制限が設けられる場合もあるが、これは上記視聴可能な時間帯とは関係ない。
【００３１】
ストリーム受信手段１５は、上記インターネット放送を配信するサービスサイトや動画像アップロードサイトから、所望のコンテンツをストリーミング受信する。なお、ストリーミング受信する際には、ＵＲＬなどでサイト内の所望のコンテンツの格納先を指定すればよい。
【００３２】
コンテンツ記録手段１９は、ハードディスクやメモリカードなどの記録媒体およびその駆動装置でなる。この記録媒体には、コンテンツ受信再生装置１で再生可能なコンテンツがそのコンテンツ情報とともに記録されている。また、上記駆動装置は、そのコンテンツを記録媒体から読み出す（取得する）ことが可能に構成されており、エア放送受信手段１１およびストリーム受信手段１５により取得したコンテンツを記録媒体に新たに記録することも可能に構成されている。
【００３３】
記録コンテンツ情報取得手段１８は、上記駆動装置を介して、コンテンツ記録手段１９の記録媒体に記録されているコンテンツのコンテンツ情報を、同記録媒体から取得する。
【００３４】
以上、エア放送受信手段１１、ネットワーク接続手段１２およびストリーム受信手段１５、コンテンツ記録手段１９で例示したように、コンテンツ受信再生装置１は、取得方法の異なる複数種のコンテンツを取得するコンテンツ取得手段を備える。実際の取得は、再生対象となったときに実行すればよい。
【００３５】
また、エア放送受信手段１１、ネットワーク接続手段１２および放送番組表取得手段１３、ネットワーク接続手段１２およびアップロードコンテンツ情報取得手段１４、記録コンテンツ情報取得手段１８で例示したように、コンテンツ受信再生装置１は、コンテンツ取得手段により取得可能なコンテンツについてのコンテンツ情報を取得するコンテンツ情報取得手段を備える。取得したコンテンツ情報は図示しない内部メモリに記憶しておけばよい。取得するコンテンツ情報には、上述したように、コンテンツを視聴可能な時間帯または視聴にかかる時間の少なくとも一つおよびコンテンツのタイトルを含んでいる。勿論、コンテンツ情報には他の情報も含んでいてもよく、例えば出演者やサブタイトルやジャンルなどの情報を含むことで、後述するユーザ嗜好に合ったコンテンツを抽出する際にタイトルのみに頼らなくてもよいため、有益である。
【００３６】
提示優先度決定手段１７は、エア放送受信手段１１、放送番組表取得手段１３、アップロードコンテンツ情報取得手段１４、記録コンテンツ情報取得手段１８より、現在視聴可能なコンテンツについてのコンテンツ情報を収集する。
【００３７】
ここで、各手段１１，１３，１４，１８が現在視聴可能なコンテンツについてのコンテンツ情報を取得してそのまま提示優先度決定手段１７に出力することで、提示優先度決定手段１７がコンテンツ情報を収集し内部メモリに記憶できるように構成すればよい。
【００３８】
もしくは、各手段１１，１３，１４，１８が現在または将来視聴可能なコンテンツについてのコンテンツ情報を取得して内部メモリに記憶しておき、そこから、提示優先度決定手段１７が提示優先度決定時に現在視聴可能なコンテンツについてのコンテンツ情報のみを読み出すように構成してもよい。この場合、コンテンツが視聴可能か否かの判定は、現在時刻（日時）情報とコンテンツ情報とに基づき行えばよい。例えば、コンテンツ情報に放送時刻等の視聴時間帯が含まれていない場合には常に視聴可能なコンテンツ、つまりストリーム受信または記録媒体からの読み出しなどによる再生が可能なコンテンツであると判定できる。また、コンテンツ情報に放送時刻等の視聴時間帯が含まれている場合には、その視聴時間帯と現在の時刻（日時）との比較により、現在視聴できるコンテンツを現在視聴可能なコンテンツであると判定し、現在から所定時間（例えば１日など）内に視聴できるコンテンツを現在または将来視聴可能であると判定し、そうでないコンテンツは現在も将来も視聴可能でないと判定できる。なお、上記将来視聴可能なコンテンツとして上記所定期間内に視聴可能なものに限った理由は、期間制限を設けないと視聴可能なコンテンツが膨大になるためである。
【００３９】
提示優先度決定手段１７は、このようにして取得（収集）したコンテンツ情報と、嗜好を含むユーザ情報とに基づき、視聴可能なコンテンツの提示優先度を決定する。ここで、提示優先度は、ユーザに視聴対象として提示するための優先順位を指す。例えば、上記嗜好として、好みの出演者やジャンルなどの情報を記憶しておくことで、その出演者やジャンルに合ったコンテンツを抽出して、その提示優先度を高く決定することができる。
【００４０】
ユーザ情報は図示しない内部メモリに記憶しておき、必要に応じて読み出せばよく、複数ユーザに対応させる場合にもユーザ毎のユーザ情報をこの内部メモリに記憶しておき、必要なユーザ（現在のユーザ）のユーザ情報を読み出せばよい。なお、ユーザ情報のうち嗜好（ユーザ嗜好）の情報は、視聴履歴（例えばジャンル別の視聴履歴や出演者別の視聴履歴など）をユーザ毎に蓄積しておきその視聴履歴（過去の視聴履歴）から算出してもよいし、ユーザ自身が個別に設定してもよい。複数ユーザに対応させるためには次に説明するようなユーザ特定手段によりユーザを特定してから、嗜好の情報の算出や設定を行えばよい。
【００４１】
複数のユーザのそれぞれに対応する複数のユーザ情報の中から提示優先度決定手段１７がどのユーザ情報を参照するかは、装置１の本体やリモコンなどにユーザ指定キーを設けておき、ユーザによるそのキーの操作入力に基づき現在のユーザを特定しておけばよい。勿論、装置１を一人のユーザのみが使用する場合（あるいは実際には複数人が使用しても一人とみなす場合）には、現在のユーザを特定する必要はなく、現在のユーザに関するユーザ情報は内部メモリに記憶されているユーザ情報を意味する。特に、携帯電話機やＰＤＡなどの個人向け携帯端末では、一人のユーザのみが使用している場合が多い。
【００４２】
また、装置１に他のユーザ特定手段を設けることで、複数ユーザの中から現在のユーザを特定してもよい。個人向け携帯端末において複数ユーザに対応させる場合を想定して、ユーザ特定手段の例を挙げる。ユーザに１対１対応した情報（ＩＤ、またはＩＤおよびパスワード、または指紋や顔画像等の生態認証情報など）を端末に予め蓄積しておき、入力手段２２や人固有の識別情報を読み取るリーダ等からこれらの入力を受け付け、予め蓄積しておいた情報と比較することで、ユーザを特定してもよい。また、電話番号を複数使用可能な携帯電話機などでは、上記ユーザ指定キーの操作入力として、特定の電話番号で受信するモードを選択する操作が入力されたときに、その電話番号に対応するユーザが現在使用していると特定することができる。
【００４３】
リスト出力手段２０は、提示優先度決定手段１７で決定された提示優先度に基づいて、視聴可能なコンテンツのタイトルのリスト（タイトルの一覧リスト）を生成（作成）し、表示用に出力する。リスト出力手段２０のうち、提示優先度に基づいたリストの生成を行う手段はリスト生成手段と呼ぶ。タイトルのリストを生成するものと説明したが、勿論、タイトル以外の情報も含んだリストを生成してもよい。リスト出力手段２０で生成・出力されたリストは、映像表示手段２３で例えばＯＳＤ（On Screen Display）画像などとして現在表示中の映像に重畳されるなどして、表示される。映像表示手段２３を備えない構成においては、外部接続された映像表示装置に、例えばリストを示すＯＳＤ画像データとして出力すればよい。
【００４４】
入力手段２２は、リスト出力手段２０で生成され映像表示手段２３で表示されたリストから、再生するコンテンツをユーザに選択させる選択手段の一例である。入力手段２２により再生対象のコンテンツが選択されたときには、そのコンテンツを読み出しまたは受信し、復号手段２１で復号を行うことで再生する。このように、復号手段２１はコンテンツを再生するコンテンツ再生手段の一例である。再生されたコンテンツのうち、映像データについては映像表示手段２３へ出力して映像を表示させ、音声データについてはスピーカ等の音声出力手段２４に出力して音声を出力させる。
【００４５】
このようにコンテンツ受信再生装置１では、提示優先度決定手段１７が、ワンセグ放送等のエア放送、インターネット放送、アップロード動画コンテンツ、記録メディアに蓄積されたコンテンツなど、取得方法の異なるコンテンツについてのコンテンツ情報を一括して収集し、嗜好等の条件（他の条件としては後述するように視聴履歴や画質など）により優先順位を付与する。そして、リスト出力手段２０がその優先順位順にリストを生成・出力する。これにより生成され提示されるリストは、嗜好等に基づく優先順位に従って並んでいるため、多様なコンテンツの中から所望のコンテンツを選択する際に、取得方法を意識せずに選択できるとともに、ユーザの所望のコンテンツをできるだけ少ない操作で検索することが可能になる。
【００４６】
図２は、図１のコンテンツ受信再生装置で作成したリストの一例を示す図である。図２で例示するリスト３は、コンテンツタイトル３１、取得方法種別３２、チャンネル等識別子３３、放送時間３４、視聴履歴３５、および画質３６の各項目から構成される。図２の例では、リスト出力手段２０は、これらの項目３１〜３６からリスト３を生成して出力することになる。上述したように、リスト出力手段２０は、コンテンツをユーザが識別するために、少なくともコンテンツタイトル３１を含むリストを生成する。図２のリスト３は、タイトルが「ワールドニュース」のコンテンツの提示優先度が一番高く、「Ｎｅｗｓ６３０」のコンテンツの提示優先度が２番目に高く、「宇宙紀行」が３番目、「プロ野球○○ｖｓ××」が４番目、「うちのねこ」が５番目の提示優先度となっている場合を示している。
【００４７】
取得方法種別３２は、コンテンツの取得方法種別を示すもので、ワンセグ放送、録画コンテンツ、インターネット放送、アップロード動画等の種類を示す。リスト３では、ワンセグ放送を「ワ」、録画コンテンツを「録」、インターネット放送を「イ」、アップロード動画を「ア」と表示しているが、他の文字で示したり、アイコンなどで示してもよい。このようにリスト出力手段２０で生成するリストにはコンテンツの取得方法の種別を含むことが好ましい。
【００４８】
チャンネル等識別子３３は、ワンセグ放送等のエア放送であれば、地域毎に決められているリモコン番号、あるいはチャンネル番号を示す。インターネット放送やアップロード動画については、チャンネル等識別子３３として、その取得元のサイトを示すアイコンを表示してもよい。このようにリスト出力手段２０で生成するリストには入力ソースの情報を含むことが好ましい。
【００４９】
ワンセグ放送のように放送時刻が決まっているコンテンツについては、放送時間３４として放送時刻を示す。録画コンテンツやアップロード動画コンテンツなど、視聴可能時刻が定められておらず、ユーザが任意のタイミングで視聴できるコンテンツについては、該コンテンツの未視聴部分を視聴するのに必要な時間（視聴に要する時間）を、放送時間３４として表示する。現在時刻を放送開始時刻、現在時刻に未視聴部分の再生時間を加算した時刻を放送終了時刻として表示してもよい。このようにリスト出力手段２０で生成するリストには、視聴可能な時間帯または視聴に要する時間を含むことが好ましい。
【００５０】
視聴履歴３５は、各コンテンツが未視聴であるか、過去に視聴したものであるかを示す。視聴履歴３５として、「Ｎｅｗ！」と記載しているものが未視聴、「−」としているものは過去に視聴したコンテンツであることを示している。なお、視聴済み／未視聴を示す情報については、ユーザ情報として、ユーザが各コンテンツを視聴したか否かを含んで記憶しておくとよい。このような視聴履歴３５の表示により、ユーザは未視聴のコンテンツを容易に識別できる。このようにリスト出力手段２０で生成するリストには、既に視聴したコンテンツか否かを示す情報を含むことが好ましい。
【００５１】
画質３６は、「高画質」、「通常画質」、「低画質」など、各コンテンツの画質を示す。コンテンツの画質３６は、例えばコンテンツの取得方法から求めたり、コンテンツとは別に取得したコンテンツ情報やコンテンツのメタデータ（コンテンツメタデータ）として記述したデータから取得することができる。より具体的には、エア放送であれば放送規格により帯域幅、符号化方式等が定められているため、取得方法から画質を求めることができ、録画コンテンツであればコンテンツ情報またはコンテンツメタデータに録画時の画質を記述しておくことで画質を得ることができる。ここで、コンテンツメタデータとは、コンテンツのデータに付随して保持される付加的なデータを指す。このようにリスト出力手段２０で生成するリストには、コンテンツの画質を示す情報を含むことが好ましい。
【００５２】
（リスト生成処理のシーケンス）
上述したように、本発明では、提示優先度決定手段１７がコンテンツ情報と嗜好を含むユーザ情報とに基づき視聴可能なコンテンツの提示優先度を決定し、リスト出力手段２０がこの提示優先度に基づいて視聴可能なコンテンツのタイトルのリストを生成し出力する。リストにおける各コンテンツの提示順序およびその決定方法について、図３を参照してより好ましい例を挙げながら説明する。図３は、図１のコンテンツ受信再生装置における提示優先度決定手段でリストを作成する場合の処理の手順を示すシーケンス図である。
【００５３】
提示優先度決定手段１７は最初に、エア放送受信手段１１、放送番組表取得手段１３、アップロードコンテンツ情報取得手段１４、記録コンテンツ情報取得手段１８から、現在視聴可能なコンテンツの情報を収集する（ステップＳ１）。
【００５４】
なお、エア放送の番組表については、上述したように、エア放送受信手段１１により放送波から取得する方法と、放送番組表取得手段１３により番組表を掲載しているサイトから取得する方法がある。いずれの方法を用いてもよいが、放送波から取得する場合は、一般に全てのチャンネルをスキャンする必要があるため、消費電力および取得時間の観点からは、ネットワークに接続できる環境の場合には放送番組表取得手段１３を用いる方が望ましい。一方で、エア放送受信手段１１を用いると、エア放送の受信状況を同時に検出できるため、確実に視聴可能なコンテンツを抽出できるという利点がある。また、番組表取得時にネットワークに接続できない場合には、ネットワークを介して取得するインターネット放送やアップロード動画コンテンツは受信不可であるので、視聴可能コンテンツから除外することができる。
【００５５】
次に、提示優先度決定手段１７は、ユーザの嗜好および現在時刻情報、並びにコンテンツ情報により、現在視聴可能なコンテンツに視聴優先順位を付与する（ステップＳ２）。現在時刻情報は、時間帯により見たいコンテンツが異なるようなユーザ嗜好に対応するために有効である。例えば朝の７時〜９時の時間帯にはニュースを多く視聴するが、夜の７時〜９時ではバラエティ番組を多く視聴するなど、時間帯と視聴嗜好に相関関係がある場合、これを利用して、現在時刻が朝の時間帯であればコンテンツ情報のジャンルがニュースとなっているコンテンツの優先順位を高くし、夜の時間帯であればコンテンツ情報のジャンルがバラエティとなっているコンテンツの優先順位を高くすることができる。
【００５６】
次に、提示優先度決定手段１７は、コンテンツ単位の視聴履歴により視聴優先順位を並び替える（ステップＳ３）。このように、コンテンツ受信再生装置１では、視聴履歴に基づく提示優先度の決定を行うことが好ましい。そのためには、ユーザ情報としては、ユーザが各コンテンツを視聴した回数である視聴回数（つまり再生した回数）を示す情報を含んで記憶しておく。そして、提示優先度決定手段１７は、そのユーザ情報に含まれる各コンテンツについての視聴回数に応じて、視聴可能なコンテンツの提示優先度を決定する。つまり、ユーザ嗜好だけでなく視聴回数に応じて、提示優先度が変わるようにする。なお、この視聴回数の情報は、提示優先度の決定時に参照するだけでなく、リスト３中に視聴済み／未視聴の情報（視聴履歴３５）として表示するためにリストを生成する時に参照することもできる。
【００５７】
視聴履歴に基づく提示優先度の決定の例を挙げる。録画コンテンツやアップロード動画コンテンツについて、視聴済みのものは優先順位を下げる。また、視聴済みであっても、繰り返し視聴しているコンテンツは、優先順位を変更しないか、もしくは優先順位を上げる。放送コンテンツであっても、再放送のコンテンツなどで、初回放送を既に視聴しているものは優先順位を下げる。
【００５８】
取得方法に因らずコンテンツを識別するために、例えばタイトルおよびサブタイトル、出演者、視聴時間等のコンテンツ情報（またはコンテンツのメタデータ）を比較して、同一コンテンツを識別する。もしくは、コンテンツ情報（またはコンテンツのメタデータ）を参照してＩＤ番号を付与するようにしておき、付与の際には、取得方法を示す記号または番号と取得方法に因らない一連の連続番号とからＩＤ番号を生成し、且つ同一コンテンツの場合にはこの連続番号を同じにする（つまり取得方法が違っても同一コンテンツには共通の番号を含むようなＩＤ番号を付与する）。例えば、エア放送された映画Ａに「Ｈ０００１」を付与し、その後に映画Ａが、エア放送で再放送された場合には同じ「Ｈ０００１」を付与すればよく、またネットワーク配信された場合には「Ｎ０００１」を付与しＩＤ番号に「０００１」を含むコンテンツに視聴履歴が存在する場合には同じ視聴履歴をコピーすればよい。このように取得方法に因らずにコンテンツを識別可能にすることにより、初回放送で既に視聴しているコンテンツが、再放送時や動画サイトアップロード後に再び視聴優先順位の上位に入ることを抑制できる。
【００５９】
このように、提示優先度決定手段１７において、コンテンツの視聴回数により提示優先度を変えることで、過去に視聴したコンテンツが繰り返し提示優先度が上位となることを避けることができると共に、教育用コンテンツなど（例えば２回以上や３回以上）繰り返し視聴するコンテンツについては提示優先度を高く維持することができる。
【００６０】
視聴回数の記憶に関して補足する。再生が完了した場合のみ、視聴回数にカウントしておいてもよいし、所定割合以上や所定時間以上、再生が完了した場合のみ視聴回数にカウントしてもよいし、少しでも再生したら全て視聴回数にカウントするようにしてもよい。最後の例では、途中まで視聴して次に続きを視聴したときには、２回とカウントされるため、視聴回数が増えて、視聴回数が多いほど視聴したいと考えていると捉えた処理を行うこともできる。視聴回数の情報は、各コンテンツ情報に関連付けて他のユーザ情報と同様に記憶してもよいし、他のユーザ情報とは別に各コンテンツ情報内に、ユーザ名またはユーザＩＤ等のユーザ特定情報と共に記録（記述）しておいてもよい。また、エア放送などリアルタイム放送の場合、視聴し終わった後はコンテンツは録画していない限り存在しないが、録画していない場合でも少なくとも一定期間はそのコンテンツについてのコンテンツ情報と視聴回数の情報とは残しておき、再放送または別の取得方法で取得可能になりコンテンツ情報を取得した際に元のコンテンツ情報を削除するなどすることが好ましい。なお、再生機能を備えないコンテンツ選択装置においては、視聴用に選択した回数を、視聴回数として記録するか、あるいは、外部接続された再生装置から再生結果としての視聴回数を取得して記録すればよい。
【００６１】
何回以上視聴すれば提示優先度を高く維持するかなど、提示優先度決定手段１７での決定に関わる視聴履歴と提示優先度（視聴優先順位）との関係について説明する。この関係は、予めコンテンツに因らずに固定の関係として決めておいてもよいし、入力手段２２によりその固定の関係をユーザ設定・変更できるようにしてもよい。
【００６２】
もしくは、この関係を、コンテンツにメタデータとして添付しておいてもよい。ＸＭＬ（eXtended Markup Language）フォーマットのメタデータとして添付する場合の、記述例を図４に示す。図４で例示するメタデータ４は、優先順位を示すタグ名“ｐｒｉｏｒｉｔｙ”のタグフィールド内に、依存要素を示すタグ名“ｄｅｐｅｎｄｅｎｔ＿ｅｌｅｍｅｎｔ”のタグフィールドがあり、さらにその内部に視聴を示す“ｖｉｅｗ”タグがある。“ｖｉｅｗ”タグには視聴回数を示す“ｔｉｍｅ”属性が付与されており、“ｔｉｍｅ”属性が１の場合、すなわち１回視聴した場合には、優先順位を−１０することを記述している。図４の記述例は単なる一例であり、タグ名や記述方法はこれに制限されるものではない。
【００６３】
このように、提示優先度決定手段１７は、視聴回数と提示優先度との関係を記述したコンテンツメタデータから、その関係の記述を読み出し、その関係の記述に従って、各コンテンツについての視聴回数に応じた提示優先度の決定を行うことが好ましい。コンテンツメタデータ内の上記関係の記述に従って提示優先度を変えるように構成しておくことで、このコンテンツメタデータを異なる関係を記述した他のコンテンツメタデータと入れ替えたり、コンテンツメタデータを入力手段２２でのユーザ設定により書き変えたりすることも可能である上に、視聴回数と提示優先度の関係をコンテンツ毎に変えることができる。
【００６４】
ステップＳ３に続き、提示優先度決定手段１７は、コンテンツの取得方法により視聴優先順位を並び替える（ステップＳ４）。同じコンテンツが複数の方法で取得可能な場合、ステップＳ１〜Ｓ３の手順により、ほぼ同じ優先順位に取得方法が違うだけの同じコンテンツがいくつも並ぶことになり、冗長となる。このような冗長さをできるだけ回避するために、ステップＳ４では取得方法により優先順位を変更する。
【００６５】
例えば、録画コンテンツやアップロード動画コンテンツに比べ放送コンテンツは、先頭に遡っての視聴や、時間短縮のための早送り視聴などの特殊再生が不可能といった制約があるため、同じコンテンツであれば特殊再生が可能で視聴開始位置が時刻に左右されず使い勝手のよい録画やアップロード動画コンテンツの視聴が優先されるよう、放送コンテンツの優先順位を下げる。下げ幅としては、他のコンテンツのうち録画コンテンツやアップロード動画コンテンツよりも下の優先順位になるようにしておくことが好ましい。同じコンテンツを複数の方法で取得可能となる具体的な状況としては、例えば放送コンテンツが再放送で、同じコンテンツを録画コンテンツあるいはアップロード動画コンテンツとして視聴可能な場合や、放送を録画中に途中から視聴する場合などがある。
【００６６】
このように、提示優先度決定手段１７は同じコンテンツについてコンテンツの取得方法により提示優先度を決定することが好ましい。特に、上述したように、コンテンツの取得方法により提示優先度を差別化するためには、そのコンテンツの視聴可能な時間帯の制限の有無によって行うことが好ましい。すなわち、提示優先度決定手段１７は、同じコンテンツについて、視聴可能な時間帯が制限されたコンテンツの提示優先度に比べ、視聴可能な時間帯が制限されていないコンテンツの提示優先度を高くすることが好ましい。ここで、視聴可能な時間帯が制限されたコンテンツとは、コンテンツ情報に時間帯が記述されたコンテンツを指し、特にその時間帯が所定時間より短く限られたコンテンツとして定義してもよい。一方、制限されないコンテンツとは、任意の時間に視聴可能なコンテンツを指す。また、視聴回数とは無関係に決定してもよいが、視聴回数も合わせて同じの場合のみ、視聴可能な時間帯が制限されたコンテンツに比べ、任意の時間に視聴可能なコンテンツの優先度を高くするようにしてもよい。
【００６７】
このように、同じコンテンツの場合に視聴可能な時間帯が制限されたものより任意の時間に視聴可能なものを高い提示優先度にすることで、よりユーザが使い易い提示優先度とすることができる。例えば、コンテンツの一部を見落としても巻き戻しが可能で、見たくない場面を早送りすることが可能なコンテンツ、つまり巻き戻しや早送りなど特殊再生が可能で利便性の高いコンテンツを、ユーザが優先的に視聴できるようになる。
【００６８】
同じコンテンツについてコンテンツの取得方法により提示優先度を決定する他の例としては、エア放送とインターネット放送であれば、現在の受信状態あるいは過去の受信状態履歴に基づき、受信しやすい方法を優先して提示するように提示優先度を決定すればよい。また、コンテンツ料、通信料などの視聴のためのコスト（つまり取得のためのコスト）が低い方を優先して提示するように提示優先度を決定してもよい。録画コンテンツとアップロード動画コンテンツであれば、受信状態に左右されずかつ低コストの録画コンテンツを優先することが望ましい。
【００６９】
さらに提示優先度決定手段１７は、コンテンツの画質により視聴優先順位を並び替える（ステップＳ５）。ステップＳ１〜ステップＳ４の手順を経て同程度の優先順位のコンテンツについて、画質のよいコンテンツの視聴優先順位を相対的に高くする。ステップＳ５で並び替えた後の視聴優先順位が提示優先度となる。なお、ステップＳ２〜Ｓ５の並び替えの実行順序は問わない。
【００７０】
ステップＳ５のように、提示優先度決定手段１７は、同じコンテンツについて、画質の低いコンテンツの提示優先度に比べ、画質の高いコンテンツの提示優先度を高くする。ここで、画質の低いコンテンツは、例えば、圧縮率の高い符号化方式を用いたコンテンツとして定義でき、また同じ符号化方式の場合には圧縮率が高いコンテンツとして定義できる。一方、画質の高いコンテンツとは、例えば、圧縮率の低い符号化方式を用いたコンテンツとして定義でき、同じ符号化方式の場合には圧縮率が低いコンテンツとして定義できる。これにより、画質の低いコンテンツを視聴する機会を低減させることができる。なお、画質の高低に従った提示優先度の決定は、ステップＳ４とステップＳ５とを併用して説明したように、上述した視聴可能な時間帯の制限の有無等、コンテンツの取得方法に従った提示優先度の決定と併せて実行してもよい。そのとき、互いの決定が矛盾するような結果になる場合には、いずれかの決定を優先させればよく、例えば時間帯の制限の有無を優先させればよい。
【００７１】
最後にリスト出力手段２０は、提示優先度決定手段１７でステップＳ１〜Ｓ５の手順により決定した視聴優先順位（提示優先度）に基づき、図２のリスト３のようなリストを作成する（ステップＳ６）。優先順位下位のものは参照される可能性が低いため、上位から作成し、上位から所定数のみのリストとして最終的に生成するか上位から所定数のみ提示用とすることが望ましい。
【００７２】
（使い方・視聴方法）
次に、このように生成されたリストに基づいてユーザがコンテンツを選択・視聴する方法について説明する。リスト出力手段２０は、上記の手順により作成したリスト３を映像表示手段２３に出力する。ユーザは嗜好等の情報に基づき優先順位付けされたリスト３を見ながら、好みのコンテンツを入力手段２２により選択することができる。コンテンツ受信再生装置１は、入力手段２２により指定されたコンテンツを、エア放送受信手段１１、ストリーム受信手段１５、コンテンツ記録手段１９のいずれかにより取得する。
【００７３】
例えば、指定コンテンツがエア放送コンテンツの場合、リスト出力手段２０が提示優先度決定手段１７を介して（もしくはリスト出力手段２０または入力手段２２が直接。以下同様）、エア放送受信手段１１に対し、コンテンツが放送されるチャンネルにチューナを合わせるよう制御する。指定コンテンツがインターネット放送あるいはアップロード動画コンテンツの場合には、リスト出力手段２０が提示優先度決定手段１７を介して、ストリーム受信手段１５に対しコンテンツ視聴サイトに接続し、ストリーミングを開始するよう制御する。指定コンテンツが録画コンテンツの場合には、リスト出力手段２０が提示優先度決定手段１７を介して、コンテンツ記録手段１９より指定のコンテンツを復号手段２１に出力するよう制御する。録画コンテンツ以外のコンテンツについては、コンテンツホルダーにより録画が許可されている場合には、視聴と同時にコンテンツ記録手段１９に録画することができる。取得した各コンテンツは、復号手段２１により映像データと音声データに復号され、それぞれ映像表示手段２３および音声出力手段２４により映像および音声としてユーザに提供される。
【００７４】
ここまでは、リストが表示用に出力するものであることを前提に説明したが、リスト生成手段として説明したようにリストは表示用に出力しなくてもよい。つまり、コンテンツの選択は必ずしもリスト表示が必要なものではなく、リスト３は内部的に保持するだけにしてもよい。その場合、入力手段２２を用いた単純な操作により、リストの上位から順にコンテンツを取得可能とする。このような例を図５を参照して説明する。
【００７５】
図５は、図１のコンテンツ受信再生装置における入力手段の一例を示す図である。図５に示す入力手段５は、図１の入力手段２２の一例であり、図示したようなボタン群が具備されている。これらのボタン群のうち下方向ボタン５２をユーザが押すことで、リストの上位から下位の方向に順次コンテンツが出力（提示）され、ボタン５２と逆方向の記号が付与された上方向ボタン５１をユーザが押すことで、リストの下位から上位の、ボタン５１とは逆方向に順次コンテンツが出力（提示）される。
【００７６】
図６を参照して、コンテンツ提示中に映像表示手段２３に表示される画面例を説明する。図６で例示するコンテンツ表示画面６では、その中央にコンテンツの映像６０を表示し、その周囲にコンテンツタイトル６１、取得方法種別６２、チャンネル等識別子６３、放送時間６４、視聴履歴６５、および画質６６を表示している。なお、画質６６は、コンテンツの映像６０でユーザが問題ないかを判断できるため表示しなくてもよい。図６のように表示することで、リスト３自体は表示しなくても、同等の情報を取得することができる。なお、コンテンツ表示画面６のような映像６０以外の画像表示は、各項目６１〜６６を含む枠のＯＳＤ画像を生成し、映像６０に重畳することで表示できる。
【００７７】
また、コンテンツ表示画面６で視聴履歴６５として例示したように、コンテンツ受信再生装置１に具備される復号手段２１等で構成されるコンテンツ再生手段は、過去に視聴していないコンテンツを再生して映像表示手段２３で表示中に、そのコンテンツが未視聴のコンテンツである旨の情報を映像表示手段２３に出力することが好ましい。このとき、映像表示手段２３は、その情報を表示する。このように、過去に視聴していないコンテンツを再生表示中に、そのコンテンツが未視聴のコンテンツであることを映像表示手段２３に表示することで、コンテンツをリスト等から選択するのではなく、ボタン操作により次々と切り替えるザッピング視聴のような視聴方法の場合でも、未視聴のコンテンツを識別することができる。
【００７８】
また、取得可能なコンテンツのうち、録画コンテンツでは、途中で再生を停止した場合に停止位置をレジュームポイントとして記録しておき、次回再生時にはレジュームポイントから再生することで、容易に続きから見ることができる場合が多い。つまり、コンテンツ受信再生装置１に具備される復号手段２１等で構成されるコンテンツ再生手段は、コンテンツの再生を停止した位置（停止位置）を示すレジュームポイントを、そのコンテンツに関連付けて記録（例えばコンテンツ情報またはコンテンツメタデータに含めて記録）し、停止位置が変わる度にレジュームポイントを更新するレジューム手段を有する場合がある。
【００７９】
このようなコンテンツに対し、図５の下方向ボタン５２と上方向ボタン５１によりコンテンツをリストの上位から下位、下位から上位に順次表示しながら視聴するコンテンツの検索を行うと、検索中に通過した録画コンテンツのレジュームポイントが書き換えられてしまい、未視聴のコンテンツのレジュームポイントの位置が先頭からずれてしまう。
【００８０】
このような不都合を回避するために、視聴時間の閾値を設け、所定時間より長く視聴した場合のみレジュームポイントの書き換えを行うことが好ましい。つまり、上記レジューム手段は、レジュームポイントを記録可能なコンテンツを再生し、再生を停止した時に、そのコンテンツの連続再生時間が所定時間より短い場合にはレジュームポイントを更新しないようにすることが好ましい。これにより、ボタン操作により次々と切替えるザッピング視聴のような視聴方法の場合において、偶然操作中に通過したコンテンツのレジュームポイントは更新しないため、コンテンツの内容を認識していないにも関わらずレジュームポイントが動いてしまう不都合を回避できる。なお、レジュームポイントを記録可能なコンテンツとしては、上述した録画コンテンツをはじめとして、視聴可能な時間帯が制限されていないコンテンツが該当し、ストリーム配信のコンテンツもレジュームポイントを配信元ではなく再生装置側で記録するようにすれば該当することになる。
【００８１】
また、図３のステップＳ３における視聴履歴による視聴優先順位の並び替えを、レジュームポイントの位置にも依存させるようにしてもよい。例えばコンテンツの中ほどにレジュームポイントがあるコンテンツについては、続きを見られるよう優先順位を上げる。また、終端近くにレジュームポイントがある場合には、そのコンテンツは視聴済みとして扱ってもよい。逆に先頭付近にレジュームポイントがある場合には、未視聴として扱うことが望ましい。
【００８２】
また、以上では、ネットワークを介して任意の時間にストリーミング視聴可能な動画コンテンツとして、基本的にアップロード動画コンテンツのみを利用した場合を想定して説明しているが、例えばＶＯＤ（Video On Demand）コンテンツや、家庭内のレコーダやホームサーバなどからネットワークを介してストリーミング視聴可能なコンテンツについても、同様に扱ってもよい。このことは、後述する更新機能をもつコンテンツ受信再生装置１についても同様に言える。
【００８３】
（提示優先度の更新処理）
上述したリストの生成は、コンテンツ受信再生装置１の電源ＯＮ時やユーザ操作によりリスト生成（および表示）を指示された時（ユーザ要求時）などに実行すればよい。また、チャンネル切替えなどのユーザ操作を検出したときに、再生中のコンテンツが変更された場合には、変更後のコンテンツが少なくともリストに含まれる場合に、提示優先度決定手段１７およびリスト出力手段２０が提示優先度およりリストの更新を行うことが好ましい。しかし、それ以外の場合でも、「現在視聴可能なコンテンツ」は当然のごとく時間の経過と共に変わってくるため、それらのコンテンツに対する提示優先度も変わってくる。従って、時間の経過に自動的に対応させて提示優先度およびリストを自動更新する処理を行うことが好ましい。
【００８４】
そのため、本発明に係るコンテンツ受信再生装置１は、計時を行い、所定のタイミングで提示優先度決定手段１７を起動させるタイマ手段（以下、タイマ１６で例示）を備える。そして、提示優先度決定手段１７は、タイマ１６により上記所定のタイミングで起動された時に提示優先度の更新を行う。リスト出力手段２０も、この更新に従ってリストの更新を行う。更新の方法自体は、例えば、更新時点で新たに視聴可能となったコンテンツがないかをコンテンツ情報を取得して検索し、存在した場合には、そのコンテンツ情報も併せて提示優先度を決定するか、そのコンテンツ情報の提示優先度を更新前の各コンテンツに対して決定するなどすればよい。他の方法については図７を参照した例で後述する。また、このようなタイマ１６およびそれに基づく提示優先度とリストの更新は、本発明の主たる特徴の一つである。但し、コンテンツ選択装置またはコンテンツ再生装置として実装する際には設けないようにすることもでき、実際、リスト生成に係る上述したような効果が得られる。
【００８５】
上記所定のタイミングを適切にデフォルト設定またはユーザ設定しておくことで、提示優先度の更新が適切に行われ、ユーザは、取得方法を意識せずに常に少ない操作で所望するコンテンツを選択できるようになる。また、ユーザ設定として説明したように、コンテンツ受信再生装置１では、上記所定のタイミングを入力手段２２からのユーザ操作により設定できるように構成しておくことが好ましい。これにより、任意の間隔で提示優先度決定手段１７によりコンテンツの提示優先度を更新するように設定することもできる。また、更新処理を採用することで、次に説明する通知処理についても実装可能になる。
【００８６】
（上記更新処理を用いた視聴中別コンテンツ通知処理）
図２のリスト３のようなリストは、その時点における優先順位に従って作成される。しかしながら、コンテンツの供給は放送やアップロード等多様なチャンネルおよびサイトより行われており、一つのコンテンツを視聴中に、別のチャンネルやサイトからよりユーザの関心の高い、すなわちより優先順位の高いコンテンツが提供開始される場合がある。このような場合、自動更新機能を備えないコンテンツ受信再生装置１では、後から提供開始されたコンテンツは視聴中には検出できず、視聴を終了した後再度検索することで検出されるため、関心の高い放送コンテンツの前半部分を見逃してしまったり、関心の高いアップロード動画コンテンツを視聴する時間が足りなくなってしまうことがある。
【００８７】
従って、コンテンツ受信再生装置１は、上述した更新処理を行い、その更新処理時に、コンテンツ視聴中により優先順位の高いコンテンツの提供が開始された場合、これを検出し、ユーザに通知することが好ましい。
【００８８】
この検出について説明する。まず、提示優先度決定手段１７およびリスト出力手段２０は、提示優先度の決定（優先順位付け）およびそれに基づくコンテンツリストを作成するほか、タイマ１６を用いて所定のタイミングで提示優先度およびそれに基づくコンテンツリストを更新する。
【００８９】
そして、リスト出力手段２０が、更新前後のリストを比較し、現在視聴中のコンテンツより優先順位の高いコンテンツが新たに検出された場合には、ユーザに通知する。この代わりに、提示優先度決定手段１７が、更新前後の提示優先度を比較し、現在視聴中のコンテンツより優先順位の高いコンテンツが新たに検出された場合にユーザに通知するようにしてもよい。
【００９０】
（上記更新処理を用いた視聴中別コンテンツ通知処理のシーケンス）
提示優先度決定手段１７およびリスト出力手段２０が、優先順位の高いコンテンツを検出しユーザに通知する手順の一例について、図７を参照しながら説明する。図７は、図１のコンテンツ受信再生装置において、コンテンツ視聴中に優先順位の高い新規コンテンツの提供開始をユーザに通知する処理の手順の一例を示すシーケンス図である。
【００９１】
提示優先度決定手段１７およびリスト出力手段２０は、まず上記所定のタイミングが到来したとき、図２のステップＳ１〜Ｓ６の手順により優先順位付けを行ったコンテンツリストを作成する。なお、図７ではステップＳ１〜Ｓ６については図示していないが、このように、更新処理は実際にはスタート直後にステップＳ１〜Ｓ６の処理が施される。次に、リスト出力手段２０が、前回優先順位付けを行って生成されたリストの有無を判定する（ステップＳ１１）。電源ＯＮ時やユーザ要求時に最初に更新処理を行うような設定などのときには、初回のリスト生成時にはリストがないため、ステップＳ１１の判定により後述のステップＳ１５へ進む。初回以外の場合は、ステップＳ１１に続いて、次に説明するステップＳ１２へ進む。なお、更新処理が必ず一度リストを生成してから実行される場合には、ステップＳ１１は不要となる。
【００９２】
ステップＳ１２では、リスト出力手段２０が、現在視聴中のコンテンツより優先順位上位（上位の所定数）のコンテンツについて、新規に作成したリストと前回リストとの差分を抽出する。続いて、リスト出力手段２０が、抽出した結果から、前回リストになかった新規のコンテンツが差分に含まれているか判定し（ステップＳ１３）、新規コンテンツがある場合には、新規コンテンツのタイトル等を映像表示手段２３に表示させてユーザに通知する（ステップＳ１４）。タイトル等の表示は、新規のコンテンツのタイトル等を含むポップアップ画像でＯＳＤ表示するなどにより実行できる。ステップＳ１４での通知は、タイトルの表示により実行することに限ったものではなく、音声による案内や、視聴コンテンツを強制的に切替えることで実行してもよい。
【００９３】
ステップＳ１４の処理後、次回の差分抽出処理に備え、前回優先付けリストを最新のリストに更新する（ステップＳ１５）。この処理は、ステップＳ１１でＮＯの場合、およびステップＳ１３でＮＯの場合にも実行する。ステップＳ１１でＮＯの場合には、新たなリストが記録されるだけである。また、ステップＳ１３でＮＯの場合にはステップＳ１５の処理を経ずに次のステップＳ１６へ進んでもよい。
【００９４】
続いて提示優先度決定手段１７は、所定のタイミング（所定の時間間隔）でステップＳ１〜Ｓ６およびステップＳ１１〜Ｓ１５の優先順位付けリストの更新と新規コンテンツの通知を行うため、タイマ１６に次回起床時刻を設定する。この設定は、例えば次のステップＳ１６〜Ｓ１９の処理により実行する。
【００９５】
すなわち、提示優先度決定手段１７が、放送番組表取得手段１３またはエア放送受信手段１１で取得した番組表とから、視聴可能なコンテンツが切替わる直近の時刻を、全ての受信可能なチャンネル（およびサービスサイト）について取得する（ステップＳ１６）。ステップＳ１６では更に、提示優先度決定手段１７が、上記直近の時刻の中で現在時刻に最も近い時刻（Ｔnext）を抽出する。
【００９６】
そして、提示優先度決定手段１７が、Ｔnextと現在時刻の差分を、所定の間隔α（アップロード動画コンテンツの更新を確認する間隔の上限値と同一にしておいてもよい）と比較する（ステップＳ１７）。なお、間隔αもユーザ設定可能にしておくことが好ましい。ステップＳ１７での比較の結果、提示優先度決定手段１７が、小さい方の時間後にタイマ１６が起床するように起床時間を設定する（ステップＳ１８，Ｓ１９）。この起床時間に従って提示優先度決定手段１７が起動する。このように、この処理例では、提示優先度決定手段を起動させる上記所定のタイミングとして、番組表における視聴可能なコンテンツが切替わるタイミングを利用している。
【００９７】
このようなステップＳ１６〜Ｓ１９の処理により、起床時になされる放送コンテンツの番組表の取得もＴnextの更新も、任意間隔（α）もしくは（Ｔnext−現在時刻）の間隔で実行されることになる。また、（Ｔnext−現在時刻）が任意間隔（α）以上となる場合に対応した動作を採用しており、放送番組が延長して（Ｔnext−現在時刻）の値が大きくなったとしても間隔（α）で番組表の取得およびＴnextの更新を行うことができ、その延長に追随することができる。
【００９８】
上述したように、タイマ１６は設定された時間後に起床し、提示優先度決定手段１７を起動する。提示優先度決定手段１７は起動される度に、リスト出力手段２０と共に、図２のステップＳ１〜Ｓ６および図７のステップＳ１１〜Ｓ１９の処理を実行し、リストの更新や通知を行う。ステップＳ１６〜Ｓ１９の処理により、基本的に放送コンテンツの切替わり時刻に合わせて提示優先度決定手段１７を起動するので、コンテンツを視聴中にも、他の放送チャンネルやサイトで新規コンテンツが提供開始されたことを検出し、優先順位の高いものをユーザに通知することができる。また、新規コンテンツの更新タイミング予測が困難なアップロード動画コンテンツについては、基本的には放送コンテンツの切替わり時刻に合わせて更新を検出するが、固定値αにより制限しているため検出の間隔が空きすぎることはなくなる。
【００９９】
上述したような通知処理を採用することで、コンテンツの視聴中にも他のチャンネルやサイトのコンテンツ情報を取得し、優先度の高いコンテンツがあればユーザに通知できるため、他のコンテンツを視聴している間に見たいコンテンツを見逃してしまうような不都合を回避でき、使い勝手を向上することができる。
【０１００】
また、ステップＳ１８、ステップＳ１９では、それぞれ（Ｔnext−現在時刻−β）後、（α−β）後に、起床時間が設定されるようにしておいてもよい。例えば、βは１分とした場合には、コンテンツ放送開始の１分前にリスト生成やユーザ通知が可能になる。βの値についてはユーザ設定可能にしておけばよい。また、通知されたコンテンツの先頭にコマーシャル（ＣＭ）が入っていない場合にはβ分前に通知があってもよいが、先頭にＣＭが入っているコンテンツの通知をβ分前にされた場合、切替えてもＣＭばかりとなってしまう。従って、β分前の通知を実行するか否かについても、ユーザ設定可能にしておくことが好ましい。
【０１０１】
（装置の構成方法について）
上述したコンテンツ受信再生装置１が備える各ブロック、特にエア放送受信手段１１、ネットワーク接続手段１２、放送番組表取得手段１３、アップロードコンテンツ情報取得手段１４、ストリーム受信手段１５、タイマ１６、提示優先度決定手段１７、記録コンテンツ情報取得手段１８、復号手段２１、および入力手段２２は、ハードウェアロジックによって構成してもよいが、次のようにＣＰＵ（Central Processing Unit）等を用いて一部あるいは全体をソフトウェア（組み込み先によってはファームウェアと呼ばれることもある）によって実現してもよい。
【０１０２】
すなわち、エア放送受信手段１１、ネットワーク接続手段１２、放送番組表取得手段１３、アップロードコンテンツ情報取得手段１４、ストリーム受信手段１５、タイマ１６、提示優先度決定手段１７、記録コンテンツ情報取得手段１８、リスト出力手段２０、復号手段２１、および入力手段２２は、各手段における各機能を実現する制御プログラムの命令を実行するＣＰＵまたはＭＰＵ（Micro Processing Unit）、上記制御プログラム（ＣＰＵ等の装置内部のコンピュータを各手段として機能させるためのプログラム）を格納したＲＯＭ（Read Only Memory）、上記制御プログラムを展開するＲＡＭ（Random Access Memory）、上記制御プログラムで用いる各種設定データを格納するメモリ等の記憶装置（記録媒体）などにより、構成することができる。勿論、コンテンツ記録手段１９、映像表示手段２３、音声出力手段２４についても、その制御を上記ＣＰＵ等で行うようにすればよい。
【０１０３】
（コンテンツ選択・再生に係るプログラムおよび記録媒体について）
上記制御プログラムとして説明したように、本発明は、コンテンツ選択を行うための制御プログラム、またはコンテンツの選択・再生を行うための制御プログラムとしての形態も採用できる。レコーダやＴＶ装置などを想定して、上記制御プログラムが装置内部のコンピュータを各手段として機能させるためのプログラムであると説明したが、本発明に係る制御プログラムは、ＰＣで代表される汎用コンピュータを各手段として機能させるためのプログラムであってもよい。つまり、本発明に係る制御プログラムは、上述したコンテンツ選択装置（またはコンテンツ再生装置）を動作させる制御プログラムであって、コンピュータをそのコンテンツ選択装置（またはコンテンツ再生装置）として機能させるためのプログラムであればよい。なお、この制御プログラムは、後述するコンテンツ選択方法（またはコンテンツ再生方法）をコンピュータに実行させるためのプログラムであるとも言える。
【０１０４】
また、本発明は、ソフトウェアまたはファームウェアである上記制御プログラムのプログラムコード（実行形式プログラム、中間コードプログラム、ソースプログラム）を、コンピュータで読み取り可能に記録した記録媒体としての形態も採用できる。この記録媒体を、図１のコンテンツ受信再生装置１のようなコンテンツ選択装置またはコンテンツ再生装置にセットし、装置内部のコンピュータがこの記録媒体から記録されているプログラムコードを読み出し実行することによっても、本発明に係る選択または再生の機能は達成できる。
【０１０５】
上記記録媒体としては、例えば、磁気テープやカセットテープ等のテープ系、フロッピー（登録商標）ディスク／ハードディスク等の磁気ディスク、ＣＤ（Compact Disc）−ＲＯＭ／ＭＯ（Magneto Optical Disk）／ＭＤ（Mini Disc）／ＤＶＤ（Digital Versatile Disc）／ＢＤ（Blu-ray Disc）／ＣＤ−Ｒ（Recordable），ＤＶＤ−Ｒ，ＢＤ−Ｒ／ＣＤ−ＲＷ（ReWritable），ＤＶＤ−ＲＷ，ＢＤ−ＲＥ（REwritable）等の光ディスクを含むディスク系、ＩＣカード（メモリカードを含む）／光カード等のカード系、あるいはマスクＲＯＭ／ＥＰＲＯＭ（Erasable and Programmable ROM）／ＥＥＰＲＯＭ（Electrically Erasable and Programmable ROM）／フラッシュＲＯＭ等の半導体メモリ系などを用いることができる。なお、コンテンツ記録手段１９でコンテンツの記録に用いられる記録媒体も、同様の媒体が採用できるが、少なくとも書込が可能である必要がある。
【０１０６】
また、図１のコンテンツ受信再生装置１のようなコンテンツ選択装置またはコンテンツ再生装置を、通信ネットワークと接続可能に構成し、上記プログラムコードを通信ネットワークを介して装置に供給することでも、本発明に係る選択または再生の機能は達成できる。
【０１０７】
この通信ネットワークとしては、図１を参照しながらエア放送受信手段１１やネットワーク接続手段１２の構成について説明したように、放送波やインターネットが挙げられるが、これらに限定されるものではない。例えば、イントラネット、エキストラネット、ＬＡＮ（Local Area Network）、ＩＳＤＮ（Integrated Services Digital Network）、ＶＡＮ（Value Added Network）、ＣＡＴＶ（Cable Television）通信網、仮想専用網（Virtual Private Network）、電話回線網、移動体通信網、衛星通信網等なども利用可能である。また、通信ネットワークを構成する伝送媒体も、特に限定されるものではなく、例えば、ＩＥＥＥ（Institute of Electrical and Electronics Engineers）１３９４、ＵＳＢ（Universal Serial Bus）、電力線搬送、ケーブルＴＶ回線、電話線、ＡＤＳＬ（Asymmetric Digital Subscriber Line）回線等の有線でも、ＩｒＤＡ（Infrared Data Association）やリモコンのような赤外線、Ｂｌｕｅｔｏｏｔｈ（登録商標）、８０２．１１無線、ＨＤＲ（High Data Rate：ＣＤＭＡ２０００対応携帯電話用高速データ転送規格）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１０８】
（コンテンツ選択・再生方法について）
以上、コンテンツ受信再生装置１を挙げて、本発明のコンテンツ選択（およびコンテンツ再生）について説明したが、本発明は、処理のシーケンスも例示したように、このようなコンテンツ選択装置におけるコンテンツ選択方法、またはコンテンツ再生装置におけるコンテンツ再生方法としての形態も採り得る。
【０１０９】
つまり、このコンテンツ選択方法は、コンテンツ取得手段が、取得方法の異なる複数種のコンテンツを取得するコンテンツ取得ステップと、コンテンツ情報取得手段が、コンテンツ取得ステップで取得可能なコンテンツについて、コンテンツを視聴可能な時間帯または視聴にかかる時間の少なくとも一つおよびコンテンツのタイトルを含むコンテンツ情報を取得するコンテンツ情報取得ステップと、提示優先度決定手段が、コンテンツ情報取得ステップで取得したコンテンツ情報と、嗜好を含むユーザ情報とに基づき、視聴可能なコンテンツの提示優先度を決定する提示優先度決定ステップと、リスト生成手段が、提示優先度決定ステップで決定した提示優先度に基づいて、視聴可能なコンテンツのタイトルのリストを生成するリスト生成ステップと、選択手段が、リスト生成ステップで生成されたリストから再生するコンテンツをユーザに選択させる選択ステップと、タイマ手段が、計時を行い、所定のタイミングで提示優先度決定手段を起動させるステップと、を含む。そして、提示優先度決定ステップは、タイマステップにより起動された時に提示優先度の更新を行う。上述したようにタイマ手段により起動させるステップおよび更新するステップは、実装しなくてもよい。その他の応用例についても、コンテンツ受信再生装置１で説明した通りであり、説明を省略する。
【図面の簡単な説明】
【０１１０】
【図１】本発明の一実施形態に係るコンテンツ受信再生装置の概略構成を示す図である。
【図２】図１のコンテンツ受信再生装置で作成したリストの一例を示す図である。
【図３】図１のコンテンツ受信再生装置における提示優先度決定手段でリストを作成する場合の処理の手順を示すシーケンス図である。
【図４】図３におけるステップＳ３の処理に係る、視聴履歴とコンテンツの優先順位の関係を記述したメタデータの一例を示す図である。
【図５】図１のコンテンツ受信再生装置における入力手段の一例を示す図である。
【図６】図１のコンテンツ受信再生装置によるコンテンツ表示画面の一例を示す図である。
【図７】図１のコンテンツ受信再生装置において、コンテンツ視聴中に優先順位の高い新規コンテンツの提供開始をユーザに通知する処理の手順の一例を示すシーケンス図である。
【符号の説明】
【０１１１】
１…コンテンツ受信再生装置、２…アンテナ、３…リスト、４…メタデータ、５，２２…入力手段、６…コンテンツ表示画面、１１…エア放送受信手段、１２…ネットワーク接続手段、１３…放送番組表取得手段、１４…アップロードコンテンツ情報取得手段、１５…ストリーム受信手段、１６…タイマ、１７…提示優先度決定手段、１８…記録コンテンツ情報取得手段、１９…コンテンツ記録手段、２０…リスト出力手段、２１…復号手段、２３…映像表示手段、２４…音声出力手段、３１，６１…コンテンツタイトル、３２，６２…取得方法種別、３３，６３…チャンネル等識別子、３４，６４…放送時間、３５，６５…視聴履歴、３６，６６…画質、５１…上方向ボタン、５２…下方向ボタン、６０…映像。
【図１】
2010141559.tif 000003
【図２】
2010141559.tif 000004
【図３】
2010141559.tif 000005
【図４】
2010141559.tif 000006
【図５】
2010141559.tif 000007
【図６】
2010141559.tif 000008
【図７】
2010141559.tif 000009